(57)【要約】【課題】照明器具に装着された蛍光灯を清掃する蛍光灯清掃具において、全体構造の簡素化を図りつつ、清掃時の作業性の改善を図る。【解決手段】先端側において対向する一対の抱囲片２３を有し、これら抱囲片２３が近接ないし離間することによって、蛍光灯Ｆを抱囲する使用状態、および蛍光灯に対して着脱可能な不使用状態に切り替え可能とされたヘッド２と、ヘッド２を支持する支持体１と、を備えた蛍光灯清掃具Ａ１であって、ヘッド２は、一対の抱囲片２３につながる基部２１を基端側に含んで弾性変形可能に一体形成されたものであり、かつ基部２１が支持体１の先端部に嵌挿支持されるとともに、支持体１に対してその軸線Ｏ１に沿って移動可能とされている。一対の抱囲片２３は、ヘッド２が支持体１に近接すると、相互間の距離が縮小して上記使用状態をとる一方、ヘッド２が支持体１から離間すると、相互間の距離が拡大して上記不使用状態をとる。【選択図】図２
2010118213.tif 000002
【特許請求の範囲】
【請求項１】
先端側において対向配置させられた一対の抱囲片を有し、これら抱囲片が近接ないし離間させられることによって、蛍光灯を抱囲する使用状態、および蛍光灯に対して着脱可能な不使用状態に切り替え可能に構成されたヘッドと、このヘッドを支持する支持体と、を備えた蛍光灯清掃具であって、
上記ヘッドは、上記一対の抱囲片のそれぞれにつながる基部を基端側に含んで弾性変形可能に一体形成されたものであり、かつ上記基部が上記支持体の先端部に嵌挿支持されるとともに、上記支持体に対して上記支持体の軸線に沿って移動可能とされており、
上記一対の抱囲片は、上記ヘッドが上記支持体に対して近接すると、相互間の距離が縮小して上記使用状態をとる一方、上記ヘッドが上記支持体に対して離間すると、相互間の距離が拡大して上記不使用状態をとるように構成されていることを特徴とする、蛍光灯清掃具。
【請求項２】
上記ヘッドの上記基部は、上記一対の抱囲片にそれぞれつながる一対の中間部を有する二股状とされており、
上記支持体は、その先端部に設けられ、上記ヘッドが相対的に近接させられるのにともなって上記一対の中間部に対してそれぞれその外側において圧接しうる一対のガイド部を有している、請求項１に記載の蛍光灯清掃具。
【請求項３】
上記ヘッドおよび上記支持体において凹凸嵌合することにより、上記ヘッドの上記使用状態を維持するロック機構が設けられている、請求項１または２に記載の蛍光灯清掃具。
【請求項４】
上記ヘッドは、上記使用状態において、上記軸線に対してほぼ垂直な回動軸を中心として所定角度範囲内で回動可能とされている、請求項１ないし３のいずれかに記載の蛍光灯清掃具。
【請求項５】
上記ロック機構は、上記ヘッドの上記一対の中間部にそれぞれ設けられた嵌合穴と、上記支持体の上記一対のガイド部から内側にそれぞれ突出させられた嵌合突部とを備えて構成されており、
上記ヘッドは、上記嵌合穴と上記嵌合突部とがそれぞれ嵌合する状態において、上記嵌合突部周りに回動する、請求項３に記載の蛍光灯清掃具。
【請求項６】
上記ロック機構は、上記ヘッドが上記使用状態にあるときに、上記ヘッドに対して上記支持体を上記軸線周りに回動操作すると、上記嵌合穴と上記嵌合突部との嵌合状態が解除されるように構成されている、請求項５に記載の蛍光灯清掃具。
【請求項７】
上記ヘッドが上記支持体に対して上記回動軸周りに回動させられた状態において、上記ヘッドと上記支持体との上記回動軸周りの回動を抑制する回動抑制手段が設けられている、請求項４に記載の蛍光灯清掃具。
【請求項８】
上記回動抑制手段は、上記ヘッドの外側に突出するヘッド側突起と、上記支持体の内側に突出する支持体側突起とを備え、上記ヘッド側突起および上記支持体側突起が係合することによって上記ヘッドと上記支持体との上記回動軸周りの回動が制限される一方、所定の回動操作力をもって上記ヘッド側突起および上記支持体側突起の係合状態が解除されて上記ヘッドと上記支持体との上記回動軸周りの回動が許容される、請求項７に記載の蛍光灯清掃具。
【請求項９】
上記一対の抱囲片の先端縁は、上記使用状態において所定の間隙を有している、請求項１ないし８のいずれかに記載の蛍光灯清掃具。
【請求項１０】
上記一対の抱囲片には、払拭材を保持するための払拭材保持穴が設けられている、請求項１ないし９のいずれかに記載の蛍光灯清掃具。
【発明の詳細な説明】
【技術分野】
【０００１】
本発明は、照明器具に装着された蛍光灯を清掃するための蛍光灯清掃具に関する。
【背景技術】
【０００２】
ビルの天井等に設置された蛍光灯について、照明器具に装着された状態のまま清掃可能とされた蛍光灯清掃具が知られている（たとえば、特許文献１を参照）。特許文献１に開示された蛍光灯清掃具は、同文献の図２および図３によく表れているように、蛍光灯の表面に摺接させるためのふき具４と、ふき具４を支持するシャフト（杆２，３）とを有している。ふき具４は、２つの分割片（固定側ふき具４ａおよび開閉側ふき具４ｂ）からなり、これら分割片は、ヒンジ８を介して開閉可能とされている。ヒンジ８にはスプリングバネ１６が巻装されており、このスプリングバネ１６によって、開閉側ふき具４ｂは閉方向に常時付勢されている。また、開閉側ふき具４ｂには、杆２，３の内部を挿通する開閉紐２４の一端が連結されており、開閉紐２４の他端は、杆２の基端において操作部材５に連結されている。
【０００３】
蛍光灯を清掃する際には、操作部材５を押し下げることによって開閉紐２４が引張られた状態となり、開閉紐２４に連結された開閉側ふき具４ｂを、上記スプリングバネ１６の付勢力に抗して開いた状態にすることができる。この開状態において、ふき具４は蛍光灯に対して着脱可能となっている。このような構成の蛍光灯清掃具によれば、作業者の手元における遠隔操作によって、開閉側ふき具４ｂを開閉操作可能であるので、通常では手の届かない天井等に設置された蛍光灯についても、照明器具に装着したまま清掃することができる。
【０００４】
しかしながら、上記構成の蛍光灯清掃具を用いて蛍光灯を清掃する際には、操作部材５の操作が必要であり、その操作が比較的に煩わしい。このため、上記蛍光灯清掃具を用いて行う清掃作業は、その作業性が悪いものとなっていた。また、上記従来の蛍光灯清掃具では、手元の操作部材５によって開閉側ふき具４ｂを遠隔操作できる反面、開閉側ふき具４ｂ、操作部材５、およびこれらをつなぐ開閉紐２４を連係させる必要があることから、全体構造が複雑になり、その結果、重量の増加や製造コストの上昇を招いていた。
【０００５】
【特許文献１】特開平７−１１１１４４号公報
【発明の開示】
【発明が解決しようとする課題】
【０００６】
本発明は、このような事情のもとで考え出されたものであって、照明器具に装着された蛍光灯を清掃する蛍光灯清掃具において、全体構造の簡素化を図りつつ、清掃時の作業性の改善を図ることを課題とする。
【課題を解決するための手段】
【０００７】
上記の課題を解決するため、本発明では、次の技術的手段を講じている。
【０００８】
本発明によって提供される蛍光灯清掃具は、先端側において対向配置させられた一対の抱囲片を有し、これら抱囲片が近接ないし離間させられることによって、蛍光灯を抱囲する使用状態、および蛍光灯に対して着脱可能な不使用状態に切り替え可能に構成されたヘッドと、このヘッドを支持する支持体と、を備えた蛍光灯清掃具であって、上記ヘッドは、上記一対の抱囲片のそれぞれにつながる基部を基端側に含んで弾性変形可能に一体形成されたものであり、かつ上記基部が上記支持体の先端部に嵌挿支持されるとともに、上記支持体に対して上記支持体の軸線に沿って移動可能とされており、上記一対の抱囲片は、上記ヘッドが上記支持体に対して近接すると、相互間の距離が縮小して上記使用状態をとる一方、上記ヘッドが上記支持体に対して離間すると、相互間の距離が拡大して上記不使用状態をとるように構成されていることを特徴としている。
【０００９】
このような構成によれば、一対の抱囲片が離間させられた不使用状態にあるヘッドを、支持体に対して近接移動させることにより、ヘッドが弾性変形して一対の抱囲片が互いに近接する使用状態をとることができる。すなわち、支持体に対してヘッドを相対移動させるといった簡単な操作によって、ヘッドを、蛍光灯を抱囲する使用状態にすることができる。したがって、上記構成によれば、全体構造の簡素化を図るともに、清掃時の作業性を改善することができる。
【００１０】
本発明の好ましい実施の形態においては、上記ヘッドの上記基部は、上記一対の抱囲片にそれぞれつながる一対の中間部を有する二股状とされており、上記支持体は、その先端部に設けられ、上記ヘッドが相対的に近接させられるのにともなって上記一対の中間部に対してそれぞれその外側において圧接しうる一対のガイド部を有している。このような構成によれば、ヘッドは、一対のガイド部に案内されてスムーズに弾性変形する。
【００１１】
本発明の好ましい実施の形態においては、上記ヘッドおよび上記支持体において凹凸嵌合することにより、上記ヘッドの上記使用状態を維持するロック機構が設けられている。このような構成によれば、ヘッドおよび支持体において凹凸嵌合させてロック機構を機能させることにより、ヘッドの使用状態が維持される。このため、蛍光灯の清掃作業時には、ヘッドを支持体に近接させる力を付与し続ける必要がなく、使い勝手がより良好となる。
【００１２】
本発明の好ましい実施の形態においては、上記ヘッドは、上記使用状態において、上記軸線に対してほぼ垂直な回動軸を中心として所定角度範囲内で回動可能とされている。
【００１３】
本発明の好ましい実施の形態においては、上記ロック機構は、上記ヘッドの上記一対の中間部にそれぞれ設けられた嵌合穴と、上記支持体の上記一対のガイド部から内側にそれぞれ突出させられた嵌合突部とを備えて構成されており、上記ヘッドは、上記嵌合穴と上記嵌合突部とがそれぞれ嵌合する状態において、上記嵌合突部周りに回動する。このような構成によれば、ロック機構を機能させると、支持体に対するヘッドの回動動作も同時に可能となる。したがって、全体構造の簡素化を図りつつ、ロック機構および回動動作機能などの付加機能を適切に具備することができる。
【００１４】
本発明の好ましい実施の形態においては、上記ロック機構は、上記ヘッドが上記使用状態にあるときに、上記ヘッドに対して上記支持体を上記軸線周りに回動操作すると、上記嵌合穴と上記嵌合突部との嵌合状態が解除されるように構成されている。このような構成によれば、簡単な操作によってロック機構を解除することができる。
【００１５】
本発明の好ましい実施の形態においては、上記ヘッドが上記支持体に対して上記回動軸周りに回動させられた状態において、上記ヘッドと上記支持体との上記回動軸周りの回動を抑制する回動抑制手段が設けられている。このような構成によれば、回動抑制手段によってヘッドの回動軸周りの回動状態が維持される。したがって、ヘッドの角度をつけて清掃作業を行う際に、当該ヘッドを蛍光灯の長手方向に倣うようにスムーズに移動させることができる。
【００１６】
本発明の好ましい実施の形態においては、上記回動抑制手段は、上記ヘッドの外側に突出するヘッド側突起と、上記支持体の内側に突出する支持体側突起とを備え、上記ヘッド側突起および上記支持体側突起が係合することによって上記ヘッドと上記支持体との上記回動軸周りの回動が制限される一方、所定の回動操作力をもって上記ヘッド側突起および上記支持体側突起の係合状態が解除されて上記ヘッドと上記支持体との上記回動軸周りの回動が許容される。このような構成によれば、回動抑制手段を比較的簡単な構造とすることができる。
【００１７】
本発明の好ましい実施の形態においては、上記一対の抱囲片の先端縁は、上記使用状態において所定の間隙を有している。
【００１８】
本発明の好ましい実施の形態においては、上記一対の抱囲片には、払拭材を保持するための払拭材保持穴が設けられている。
【００１９】
本発明のその他の特徴および利点は、添付図面を参照して以下に行う詳細な説明によって、より明らかとなろう。
【発明を実施するための最良の形態】
【００２０】
以下、本発明の好ましい実施の形態について、図面を参照して具体的に説明する。
【００２１】
図１〜図７は、本発明に係る蛍光灯清掃具の一例を示している。本実施形態の蛍光灯清掃具Ａ１は、支持体１、およびヘッド２を備えて構成されており、直管型の蛍光灯の清掃に使用するものである。
【００２２】
支持体１は、ヘッド２を支持するためのものであり、本実施形態では、図１〜図３に表れているように、ベース部材１１と、リング部材１２の２部材から構成されている。ベース部材１１は、全体として垂直方向の軸線Ｏ１に沿って延びており、基端側に設けられ、柄３を連結するための筒状の連結部１１１と、先端側に設けられたヘッド支持部１１２とを有している。ベース部材１１は、たとえばポリプロピレンなどの所定の強度を有する合成樹脂により一体形成されたものである。
【００２３】
連結部１１１には、係止孔１１１ａが設けられており、この係止孔１１１ａに対して柄３に設けられた係止凸部３１が嵌まることによって柄３の抜け止めが図られている。柄３の係止凸部３１は、その周囲の適所にスリット３２が形成されていることによって、図３において仮想線で表されているように、内向きの押圧力によって可動させられる。これにより、柄３は、連結部１１１から容易に取り外すことができるようになっている。このような連結部１１１と柄３との連結構造としては、たとえばモップヘッド取付用の柄などに採用されている一般的な構造を採用することができる。
【００２４】
ヘッド支持部１１２は、図２によく表れているように、ほぼ一定厚さの帯板が適宜湾曲形成された形状とされており、基端側から先端側に向けて二股状に延びている。ヘッド支持部１１２の先端部には、先端側に向かうにつれて相互間の距離が増大するように傾斜させられた一対のガイド部１１２ａが設けられている。各ガイド部１１２ａには、厚み方向に貫通する貫通穴１１２ｂが設けられており、この貫通穴１１２ｂに、後述するリング部材１２の嵌合突部１２１が嵌挿されている。これにより、各嵌合突部１２１は、各ガイド部１１２ａから内側に向けて突出している（図５参照）。
【００２５】
各ガイド部１１２ａの下方にはまた、内側に突出する突起１１２ｃが設けられている（図４参照）。これら突起１１２ｃは、図７によく表れているように、軸線Ｏ１に対して回転対称となる位置に設けられている。
【００２６】
リング部材１２は、図２、図３および図７から理解できるように、平面視矩形のリング状とされており、たとえばナイロン６などの合成樹脂により一体形成されたものである。リング部材１２には、内側に突出する一対の嵌合突部１２１が対向して設けられている。
【００２７】
ヘッド２は、基端側の基部２１と、この基部２１から二股状に繋がった一対の中間部２２を介して先端側に設けられた一対の抱囲片２３とを備えている。このヘッド２は、図２によく表れているように、ほぼ一定厚さの板材が適宜湾曲させられた形状とされている。基部２１は、支持体１のヘッド支持部１１２ないしリング部材１２に嵌挿支持されている。基部２１の側縁部には、ヘッド２の支持体１（リング部材１２）からの抜け出しや不使用時のヘッドのぐらつきを防止するための抜け止め凸部２１ａが設けられている。
【００２８】
一対の中間部２２は、図２に表れているように、基端側から先端側に向かうにつれて相互間の距離が増大する形状である。各中間部２２は、図３に表れているように、上下方向に延びる側縁部が円弧状とされており、この側縁部の上下両端には、段部２２ａが設けられている。また、各中間部２２の中央には、支持体１の嵌合突部１２１が嵌合し得る嵌合穴２２ｂが設けられている。
【００２９】
各中間部２２の下方にはまた、外側に突出する突起２２ｃが設けられている（図４参照）。これら突起２２ｃは、図７によく表れているように、支持体１の軸線Ｏ１に対して回転対称となる位置に設けられている。
【００３０】
一対の抱囲片２３は、清掃時に蛍光灯を抱囲するためのものであり、図４に表れているように、蛍光灯Ｆの表面にほぼ沿うように湾曲させられている。各抱囲片２３には、厚み方向に貫通する払拭材保持穴２３ａが設けられている。この払拭材保持穴２３ａは、蛍光灯に付着した汚れを拭き取る図示しない払拭材（たとえばウェットティッシュ）を掛け止めて保持するためのものである。
【００３１】
このような構成のヘッド２は、たとえばナイロン６などの所定の強度を有する合成樹脂により一体形成されている。また、このヘッド２において、二股状とされた基部２１ないし中間部２２は、側面視における左右方向に比較的容易に弾性変形可能となっている。
【００３２】
上記構成の蛍光灯清掃具Ａ１においては、ヘッド２は、支持体１に対して、軸線Ｏ１に沿って移動可能とされている。図１〜図３は、ヘッド２が支持体１から離間した状態を表している。このとき、一対の抱囲片２３の相互間の距離が最大となっており、一対の抱囲片２３の先端縁どうしの間隙は、蛍光灯Ｆの外径寸法と同程度となっている。したがって、図２に示す状態においては、一対の抱囲片２３は、蛍光灯Ｆに対して着脱することが可能であり、本発明でいう不使用状態にある。
【００３３】
その一方、上述したように、ヘッド２の一対の中間部２２は基端側から先端側に向かうにつれて相互間の距離が増大する形状であることから、ヘッド２を、支持体１に対して軸線Ｏ１に沿って近接移動させると、上記一対の中間部２２は、支持体１の一対のガイド部１１２ａによって外側から内側に向けて圧接される。これにより、一対の中間部２２は、互いに近接させられ、一対の抱囲片２３についても相互間の距離が縮小する。そして、図４および図５に示すように、支持体１の嵌合突部１２１がヘッド２の嵌合穴２２ｂに嵌まると、支持体１およびヘッド２間の軸線Ｏ１に沿う移動が阻止される。このとき、本発明でいうロック機構が機能した状態であり、嵌合突部１２１および嵌合穴２２ｂは、上記ロック機構を担うものである。ここで、一対の抱囲片２３が蛍光灯を抱囲する姿勢となっており、本発明でいう使用状態にある。また、このとき、一対の抱囲片２３の先端縁どうしは、当接することはなく、所定の間隙を有している。
【００３４】
使用状態にあるヘッド２は、支持体１に対して、一対の嵌合突部１２１周り（別言すると、軸線Ｏ１にほぼ垂直な回動軸Ｏ２周り）に回動可能となっている。図６において、ヘッド２が支持体１に対して中立位置にある状態を実線および点線で表し、ヘッド２が支持体１に対して最も回動させられた位置にある状態を仮想線で表す。この回動状態においてヘッド２の段部２２ａが支持体１のリング部材１２の上面あるいは下面に当接することにより回動範囲が規制される。このようなことから理解できるように、ヘッド２は、支持体１に対し、回動軸Ｏ２を中心として所定角度範囲内で回動可能である。
【００３５】
また、図６の仮想線で表された状態においては、支持体１の突起１１２ｃとヘッド２の突起２２ｃとが係合しており、このことによりヘッド２と支持体１との回動軸Ｏ２周りの回動が制限されている。このとき、本発明でいう回動抑制手段が機能した状態であり、突起１１２ｃおよび突起２２ｃは、上記回動抑制手段を担うものである。ここで、ヘッド２が支持体１に対して中立状態に向かうようにして比較的小さな回動操作力が加えられると、突起１１２ｃおよび突起２２ｃの係合状態が解除され、実線および点線で表された中立状態に戻すことができる。なお、図６においては、一対のガイド部１１２ａおよび一対の中間部２２にそれぞれ設けられた突起１１２ｃおよび突起２２ｃのうち、一方（同図における手前側）のガイド部１１２ａおよび中間部２２に設けられたものだけを表している。したがって、ヘッド２が図６の仮想線とは反対側に回動した状態になると、他方のガイド部１１２ａおよび中間部２２に設けられた図示しない突起１１２ｃ，２２ｃによって、回動抑制手段が機能する。
【００３６】
ヘッド２が中立状態にあるときに、ヘッド２に対して支持体１を軸線Ｏ１周りに平面視時計回り（右回り）に回動させると、突起１１２ｃによってヘッド２の中間部２２が外側から内向きに押圧され、図７（ｂ）に表されるように、ヘッド２は、一対の中間部２２の相互間の距離が縮小するように変形する。そうすると、上述の嵌合突部１２１と嵌合穴２２ｂとの嵌合状態が解除され、上記ロック機構が解除される。次いで、ヘッド２は、弾性復元力によって、図１〜図３に示す不使用状態に戻る。
【００３７】
次に、上記した蛍光灯清掃具Ａ１の作用について説明する。
【００３８】
上記構成の蛍光灯清掃具Ａ１を用いて、たとえば天井に設置されている蛍光灯Ｆの清掃作業を行う際には、まず、図２に示すように、不使用状態にあるヘッド２の先端を照明器具Ｌに当接させたうえで、支持体１を上方に押し上げる。これにより、ヘッド２は、支持体１に対して近接移動するにつれて、一対のガイド部１１２ａに案内されてスムーズに弾性変形し、図４に表れているように、一対の抱囲片２３が互いに近接する使用状態をとることができる。すなわち、支持体１を押し上げるといった簡単な操作によって、ヘッド２を、蛍光灯Ｆを抱囲する使用状態にすることができる。したがって、本実施形態の蛍光灯清掃具Ａ１によれば、全体構造の簡素化を図るとともに、蛍光灯Ｆに対する清掃具の装着作業性を改善することができる。
【００３９】
図４のようにヘッド２が使用状態にあるときに、一対の抱囲片２３を図外の柄３の操作によって蛍光灯の長手方向に沿って移動させることにより、蛍光灯Ｆの表面を清掃することができる。ここで、図示しない払拭材を、あらかじめ一対の抱囲片２３の内面に沿わせるとともに払拭材保持穴２３ａに引っ掛けておけば、蛍光灯Ｆに付着した汚れを効率よく拭き取ることができる。なお、一対の抱囲片２３の先端縁は所定の間隙を有しているため、蛍光灯Ｆの清掃時において、たとえば照明器具Ｌに設けられた図示しないグロー球などとの干渉を適切に回避することができる。
【００４０】
本実施形態においては、ヘッド２の嵌合穴２２ｂに支持体１の嵌合突部１２１を嵌合させることにより、ロック機構が機能してヘッド２の使用状態が維持される。このため、蛍光灯の清掃作業時にヘッド２を支持体１に近接させる力を付与し続ける必要がなく、使い勝手が良好である。また、このように使用状態にあるヘッド２が、支持体１に対し水平な回動軸Ｏ２周りに回動可能であることから、支持体１の軸線Ｏ１を鉛直方向に対して傾斜させることが可能である。したがって、支持体１に連結された柄３についても傾斜角度をつけて清掃作業を行うことができ、かかる点においても使い勝手がよい。
【００４１】
本実施形態では、回動抑制手段の作用によって、支持体１に対してヘッド２が回動した状態が維持される。したがって、柄３に傾斜角度をつけて清掃作業を行う際に、ヘッド２（一対の抱囲片２３）を蛍光灯Ｆの長手方向に倣うようにスムーズに移動させることができ、使い勝手がよい。
【００４２】
図７を参照して上述したように、ヘッド２が中立状態にあるときに、ヘッド２に対して支持体１を軸線Ｏ１周りに回動させると、嵌合突部１２１と嵌合穴２２ｂとの嵌合状態が解除され、ロック機構が解除される。したがって、本実施形態によれば、簡単な操作によってロック機構を解除することができ、使い勝手がよい。
【００４３】
図８および図９は、本発明に係る蛍光灯清掃具の他の例を示している。なお、図８以降の図面においては、上記実施形態と同一または類似の要素には、上記実施形態と同一の符号を付しており、適宜説明を省略する。
【００４４】
図８に示された蛍光灯清掃具Ａ２は、支持体１が１つの部材によって一体形成されている点において、上記実施形態の蛍光灯清掃具Ａ１と異なっている。支持体１のヘッド支持部１１２においては、一対のガイド部１１２ａの両側縁どうしが連絡部１１３によってつながっており、横断面リング状の部分を有している。また、本実施形態では、上記実施形態の嵌合突部１２１に代えて、各ガイド部１１２ａの内側に突出形成された嵌合突部１１２ｄを有している。蛍光灯清掃具Ａ２においては、ヘッド２を支持体１に対して近接させると、ヘッド２の嵌合穴２２ｂに支持体１の嵌合突部１１２ｄが嵌合し、ロック機構が機能する。このとき、ヘッド２は、一対の抱囲片２３が近接する使用状態にあり、嵌合突部１１２ｄ周りに回動可能である。このような構成の蛍光灯清掃具Ａ２によれば、上記実施形態の蛍光灯清掃具Ａ１に関して上述したのと同様の作用効果を奏することができる。
【００４５】
図９に示された蛍光灯清掃具Ａ３は、支持体１が１つの部材によって一体形成され、かつ、ヘッド２が支持体１に対して回動不能とされている点において、上記実施形態の蛍光灯清掃具Ａ１と異なっている。支持体１のヘッド支持部１１２は、全体として筒状とされており、その先端には平行な一対のガイド部１１２ａが設けられている。本実施形態では、上述した蛍光灯清掃具Ａ１の嵌合突部１２１に代えて、各ガイド部１１２ａの内側に突出形成された嵌合突部１１２ｄを有している。また、ヘッド２の基部２１の幅方向中央には、外側に突出する抜け止め凸部２１ａが設けられている。この抜け止め凸部２１ａが嵌合突部１１２ｄと係合することにより、ヘッド２の支持体１からの抜け出しが防止される。蛍光灯清掃具Ａ３においては、ヘッド２を支持体１に対して近接させると、ヘッド２の嵌合穴２２ｂに支持体１の嵌合突部１１２ｄが嵌合し、ロック機構が機能する。このとき、ヘッド２は、一対の抱囲片２３が近接しており、使用状態にある。
【００４６】
以上、本発明の具体的な実施形態を説明したが、本発明はこれに限定されるものではなく、発明の思想から逸脱しない範囲内で種々な変更が可能である。本発明に係る蛍光灯清掃具の各部の具体的な形状や材質なども、上記実施形態に限定されるものではない。
【００４７】
上記実施形態では、一対の抱囲片２３の払拭材保持穴２３ａに払拭材を掛け止めて使用する場合を例に挙げて説明したが、これに代えて、各抱囲片の内面に払拭材をあらかじめ貼着しておいてもよい。
【図面の簡単な説明】
【００４８】
【図１】本発明に係る蛍光灯清掃具の一例を示す斜視図である。
【図２】図１に示す蛍光灯清掃具の側面図である。
【図３】図１に示す蛍光灯清掃具の正面図である。
【図４】図１に示す蛍光灯清掃具の使用状態の一例を示す要部側面図である。
【図５】図１に示す蛍光灯清掃具の使用状態の一例を示す要部縦断面図である。
【図６】図１に示す蛍光灯清掃具の使用状態の一例を示す要部正面図である。
【図７】図４のＶＩＩ−ＶＩＩ線に沿う断面図であり、（ａ）はロック機構が機能した状態を表し、（ｂ）は、ロック機構が解除された状態を表す。
【図８】本発明に係る蛍光灯清掃具の他の例を示す斜視図である。
【図９】本発明に係る蛍光灯清掃具の他の例を示す斜視図である。
【符号の説明】
【００４９】
Ａ１，Ａ２，Ａ３    蛍光灯清掃具
Ｆ          蛍光灯
Ｌ          照明器具
Ｏ１        軸線
Ｏ２        回動軸
１          支持体
２          ヘッド
３          柄
１１        ベース部材
１２        リング部材
１１１      連結部
１１１ａ    係止孔
１１２      ヘッド支持部
１１２ａ    ガイド部
１１２ｂ    貫通穴
１１２ｃ    突起（支持体側突起）
１１２ｄ    嵌合突部
１１３      連絡部
１２１      嵌合突部
２１        基部
２１ａ      抜け止め凸部
２２        中間部
２２ａ      段部
２２ｂ      嵌合穴
２２ｃ      突起（ヘッド側突起）
２３        抱囲片
２３ａ      払拭材保持穴
３１        係止凸部
３２        スリット
【図１】
2010118213.tif 000003
【図２】
2010118213.tif 000004
【図３】
2010118213.tif 000005
【図４】
2010118213.tif 000006
【図５】
2010118213.tif 000007
【図６】
2010118213.tif 000008
【図７】
2010118213.tif 000009
【図８】
2010118213.tif 000010
【図９】
2010118213.tif 000011